(57)【要約】【課題】強度が高く、製造と取り付けが容易な自動車用の燃料タンクのタンク保持バンドを提供する。【解決手段】タンク保持バンド１０は、炭素繊維強化プラスチックから形成されるとともに、燃料タンク２を保持するバンド本体１１と、バンド本体１１の両端に形成されタンク保持バンド１０を車体１に取付けるバンド取付部１２を有する。バンド取付部１２には、バンド取付部１２を車体１に固定するバンド取付部材１５が挿入されるバンド取付孔１４が形成される。バンド本体１１には、両端に形成された一方のバンド取付孔１４付近から他方のバンド取付孔１４付近まで長尺状の長鎖繊維２１の炭素繊維が長手方向に埋設されるとともに、バンド取付孔１４の周囲を囲んで、炭素繊維２３が埋設された。【選択図】図１
2016168899.tif 000002
【特許請求の範囲】
【請求項１】
自動車のフロアパネルの下に取付けられる自動車用の燃料タンクを保持するタンク保持バンドにおいて、
該タンク保持バンドは、炭素繊維強化プラスチックから形成されるとともに、燃料タンクを保持するバンド本体と、該バンド本体の両端に形成され上記タンク保持バンドを車体に取付けるバンド取付部を有し、該バンド取付部には、該バンド取付部を上記車体に固定するバンド取付部材が挿入されるバンド取付孔が形成され、
上記バンド本体には、両端に形成された一方の上記バンド取付孔付近から他方の上記バンド取付孔付近まで長尺状の長鎖繊維の炭素繊維が長手方向に埋設されるとともに、上記バンド取付孔の周囲を囲んで、炭素繊維が埋設されたことを特徴とするタンク保持バンド。
【請求項２】
上記バンド取付孔の周囲には、上記長鎖繊維の炭素繊維よりも短い短鎖繊維の炭素繊維が埋設された請求項１に記載のタンク保持バンド。
【請求項３】
上記短鎖繊維の炭素繊維は、長さが２〜７ｍｍである請求項２に記載のタンク保持バンド。
【請求項４】
上記短鎖繊維の炭素繊維は、上記バンド本体と上記バンド取付部の境界付近から上記長鎖繊維の炭素繊維と混ぜて埋設された請求項２又は請求項３に記載のタンク保持バンド。
【請求項５】
上記短鎖繊維の炭素繊維は、上記バンド取付部のバンド取付孔付近に散布され、上記短鎖繊維の炭素繊維よりも長く、上記長鎖繊維の炭素繊維よりも短い中鎖繊維の炭素繊維を、上記バンド本体と上記バンド取付部の境界付近から上記長鎖繊維の炭素繊維と混ぜて埋設された請求項２又は請求項３に記載のタンク保持バンド。
【請求項６】
上記バンド取付孔の周囲には、バンド本体に埋設された上記長鎖繊維の炭素繊維が延設されて、埋設された請求項１に記載のタンク保持バンド。
【請求項７】
上記炭素繊維強化プラスチックの炭素繊維の含有率は、２０〜６０重量％である請求項１乃至請求項６に記載のタンク保持バンド。
【請求項８】
上記炭素繊維強化プラスチックに使用されるプラスチィクは、高密度ポリエチレン（ＨＤＰＥ）である請求項１乃至請求項７に記載のタンク保持バンド。
【発明の詳細な説明】
【技術分野】
【０００１】
本発明は、自動車のフロアパネルの下に取付けられる自動車用の燃料タンクを保持するタンク保持バンドに関するものである。
【背景技術】
【０００２】
従来、自動車用の燃料タンクは、スペースの関係上、フロアパネルの下に取付けられることが多い。この場合は、燃料タンクは、複数本のベルト状のタンク保持バンドで車体のフレームやフロアパネルに取り付けられている。このタンク保持バンドは、強度が必要であるため、金属製のバンドが使用されている。
【０００３】
しかしながら、自動車の走行時には、タンク保持バンドと燃料タンクが振動して、摺動したり、摩耗したり、異音が発生したりする問題があるため、タンク保持バンドと燃料タンクの間にバンドクッションを取り付けている。
バンドクッションは、燃料タンクと当接しても燃料タンクを傷つけることがなく、取付容易性、柔軟性と制振性を必要としている。そのため、ゴムや軟質合成樹脂等により形成されている。
【０００４】
例えば、図８に示すように、平板的なベルト状のタンク保持バンド１１０の外周に、それを囲むように形成されたバンドクッション１２０の溝部が嵌合して密着されているものがある（例えば、特許文献１参照。）。
また、図９に示すように、燃料タンク２との間にクッション性を大きくするため、バンドクッション２２０の両側端に長手方向に連続する突条部２２１を形成し、突条部２２１を燃料タンク２に当接させたバンドクッション２２０の両端部に溝部を設け、その溝部にタンク保持バンド２１０に嵌合したものもある（例えば、特許文献２参照。）。
【０００５】
しかし、これらの場合には、いずれも、タンク保持バンド１１０、２１０とバンドクッション１２０、２２０を別々に形成して、タンク保持バンド１１０、２１０にバンドクッション１２０、２２０を取付けるためのコストと手間がかかるとともに、車体への取り付けも面倒であり、車両の走行中にタンク保持バンド１１０、２１０とバンドクッション１２０、２２０がずれる恐れもあった。
【０００６】
そのため、図１０に示すように、タンク保持バンド３１０を炭素繊維強化プラスチィクで形成することも検討されている。この場合は、タンク保持バンド３１０の補強のため、長手方向に連続する長尺状炭素繊維３２１をバンド本体３１１からバンド取付部３１２まで連続して埋設して、バンド取付孔３１４の部分は、後加工で形成することとなる。
【０００７】
この場合には、バンド取付孔３１４の部分の長尺状炭素繊維３２１は、切断されてしまうため、バンド取付孔３１４の強度が低下する問題がある。さらに、炭素繊維は強度が高いため、バンド取付孔３１４をあけるための工具であるパンチの磨耗による交換頻度が多くなり、コストアップと手間が増加する。
【先行技術文献】
【特許文献】
【０００８】
【特許文献１】特許第４１６７０５６号公報
【特許文献２】特開２００９−４６０００号公報
【発明の概要】
【発明が解決しようとする課題】
【０００９】
本発明は、強度が高く、製造と取り付けが容易な自動車用の燃料タンクのタンク保持バンドを提供することを課題とする。
【課題を解決するための手段】
【００１０】
上記課題を解決するための請求項１の本発明は、自動車のフロアパネルの下に取付けられる自動車用の燃料タンクを保持するタンク保持バンドにおいて、
タンク保持バンドは、炭素繊維強化プラスチックから形成されるとともに、燃料タンクを保持するバンド本体と、バンド本体の両端に形成されタンク保持バンドを車体に取付けるバンド取付部を有し、バンド取付部には、バンド取付部を車体に固定するバンド取付部材が挿入されるバンド取付孔が形成され、
バンド本体には、両端に形成された一方のバンド取付孔付近から他方のバンド取付孔付近まで長尺状の長鎖繊維の炭素繊維が長手方向に埋設されるとともに、バンド取付孔の周囲を囲んで、炭素繊維が埋設されたことを特徴とするタンク保持バンド。
【００１１】
請求項１の本発明では、自動車のフロアパネルの下に取付けられる自動車用の燃料タンクを保持するタンク保持バンドにおいて、タンク保持バンドは、炭素繊維強化プラスチックから形成される。このため、タンク保持バンドは強度が大きく、金属製のインサート部材がなくとも、自動車用の燃料タンクを確実に保持することができる。プラスチックであるため、燃料タンクと接触しても燃料タンクを損傷することがなく、クッション部材を燃料タンクとタンク保持バンドの間に介在させる必要がない。また、タンク保持バンドが金属性でなく、金属製のインサート部材も有しないため、タンク保持バンドの重量を軽減することができる。
【００１２】
燃料タンクを保持するバンド本体と、バンド本体の両端に形成されタンク保持バンドを車体に取付けるバンド取付部を有する。このため、バンド本体で燃料タンクを支えて、バンド本体の両端のバンド取付部でタンク保持バンドを車体のフレームやパネルに取付けることができる。
バンド取付部には、バンド取付部を車体に固定するバンド取付部材が挿入されるバンド取付孔が形成されるため、バンド取付部材でバンド取付部を車体に固定することができる。
【００１３】
バンド本体には、両端に形成された一方のバンド取付孔付近から他方のバンド取付孔付近まで長尺状の長鎖繊維の炭素繊維が長手方向に埋設される。このため、長尺状のバンド本体の全体に亘り強度が確保することができる。バンド取付孔の形成は、タンク保持バンドを形成してからバンド取付部に孔あけをするのではなく、バンド取付孔を金型内で成形時に形成するため、後加工の孔あけが不要である。
【００１４】
バンド取付孔の周囲を囲んで、炭素繊維が埋設されたため、バンド取付孔の周囲の強度を向上して、バンド取付部材によりバンド取付部を車体に取付けたときに、バンド取付孔の部分がネジ等の締め付けにより破損することがなく、確実に取付けることができる。また、車両の走行時にもバンド取付孔が破損することがない。
【００１５】
請求項２の本発明は、バンド取付孔の周囲には、長鎖繊維の炭素繊維よりも短い短鎖繊維の炭素繊維が埋設されたタンク保持バンドである。
【００１６】
請求項２の本発明では、バンド取付孔の周囲には、長鎖繊維の炭素繊維よりも短い短鎖繊維の炭素繊維が埋設されたため、バンド取付孔の周囲に短鎖繊維の炭素繊維を散布することが容易であり、短鎖繊維の炭素繊維によりバンド取付孔の周囲を補強することができ、バンド取付部をバンド取付部材で車体に取付けて、バンド取付孔の破損を防止することができる。
【００１７】
請求項３の本発明は、短鎖繊維の炭素繊維は、長さが２〜７ｍｍであるタンク保持バンドである。
【００１８】
請求項３の本発明では、短鎖繊維の炭素繊維は、長さが２〜７ｍｍであるため、バンド取付孔の周囲を確実に補強することができる。短鎖繊維の炭素繊維の長さが２ｍｍ未満の場合には、補強効果が低下して、短鎖繊維の炭素繊維の長さが６ｍｍを越える場合には、バンド取付孔の周囲に沿わせて散布する作業の手間がかかることとなる。
【００１９】
請求項４の本発明は、短鎖繊維の炭素繊維は、バンド本体とバンド取付部の境界付近から長鎖繊維の炭素繊維と混ぜて埋設されたタンク保持バンドである。
【００２０】
請求項４の本発明では、長鎖繊維の炭素繊維よりも短い短鎖繊維の炭素繊維は、バンド本体とバンド取付部の境界付近から長鎖繊維の炭素繊維と混ぜて埋設された。このため、長鎖繊維の炭素繊維と短鎖繊維の炭素繊維の境界部分で、長鎖繊維の炭素繊維と短鎖繊維の炭素繊維を絡ませて、補強することができ、バンド本体とバンド取付部の境界部分の補強効果の切れ目をなくし、補強効果を増加させることができる。
【００２１】
請求項５の本発明は、短鎖繊維の炭素繊維は、バンド取付部のバンド取付孔付近に散布され、短鎖繊維の炭素繊維よりも長く、長鎖繊維の炭素繊維よりも短い中鎖繊維の炭素繊維をバンド本体とバンド取付部の境界付近から長鎖繊維の炭素繊維と混ぜて埋設されたタンク保持バンドである。
【００２２】
請求項５の本発明では、短鎖繊維の炭素繊維は、バンド取付部のバンド取付孔付近に散布され、短鎖繊維の炭素繊維よりも長く、長鎖繊維の炭素繊維よりも短い中鎖繊維の炭素繊維をバンド本体とバンド取付部の境界付近から長鎖繊維の炭素繊維と混ぜて埋設された。このため、中鎖繊維の炭素繊維が長鎖繊維の炭素繊維と短鎖繊維の炭素繊維と混合されて、短鎖繊維の炭素繊維、中鎖繊維の炭素繊維と長鎖繊維の炭素繊維が強固に絡み合って、バンド取付部の補強効果を増加させることができる。
【００２３】
請求項６の本発明は、バンド取付孔の周囲には、バンド本体に埋設された長鎖繊維の炭素繊維が延設されて、埋設されたタンク保持バンドである。
【００２４】
請求項６の本発明では、バンド取付孔の周囲には、バンド本体に埋設された長鎖繊維の炭素繊維が延設されて、埋設されたため、バンド本体から連続してバンド取付孔の周囲まで長鎖繊維の炭素繊維を埋設することができ、バンド本体とバンド取付部を一体的に補強することができ、バンド取付孔の周囲も補強することができる。
【００２５】
請求項７の本発明は、炭素繊維強化プラスチックの炭素繊維の含有率は、２０〜６０重量％であるタンク保持バンドである。
【００２６】
請求項７の本発明では、炭素繊維強化プラスチックの炭素繊維の含有率は、２０〜６０重量％であるため、タンク保持バンドの強度を十分に補強することができる。炭素繊維強化プラスチックの炭素繊維の含有率が２０重量％未満の場合には、タンク保持バンドの補強効果が十分でなく、炭素繊維強化プラスチックの炭素繊維の含有率が６０重量％を超える場合には、加工性が低下して、コストも増加する。炭素繊維の含有率は、短鎖繊維、中鎖繊維及び長鎖繊維の合計をいう。
【００２７】
請求項８の本発明は、炭素繊維強化プラスチックに使用されるプラスチィクは、高密度ポリエチレン（ＨＤＰＥ）であるタンク保持バンドである。
【００２８】
請求項８の本発明では、炭素繊維強化プラスチックに使用されるプラスチィクは、高密度ポリエチレン（ＨＤＰＥ）であるため、強度も大きく、耐久性、耐燃料油性に優れている。
【発明の効果】
【００２９】
バンド本体には、両端に形成された一方のバンド取付孔付近から他方のバンド取付孔付近まで長鎖繊維の炭素繊維が長手方向に埋設されるため、長尺状のバンド本体の全体に亘り強度が確保することができる。
バンド取付孔の周囲を囲んで、炭素繊維が埋設されたため、バンド取付孔の周囲の強度を向上して、バンド取付ねじによりバンド取付部を車体に取付けたときに、バンド取付孔の分部が破損することがなく、確実に取付けることができる。
【図面の簡単な説明】
【００３０】
【図１】本発明の第１の実施の形態に使用するタンク保持バンドのバンド取付部に短鎖繊維の炭素繊維を埋設し、バンド本体に長鎖繊維の炭素繊維を埋設した状態の斜視図である。
【図２】本発明の第１の実施の形態に使用するタンク保持バンドのバンド取付部に短鎖繊維の炭素繊維を埋設し、バンド本体に長鎖繊維の炭素繊維を埋設した状態の断面図である。
【図３】本発明の第１の実施の形態に使用するタンク保持バンドのバンド取付部に短鎖繊維の炭素繊維を埋設した状態のバンド取付部の部分の拡大斜視図である。
【図４】本発明の第２の実施の形態に使用するタンク保持バンドのバンド取付部に短鎖繊維の炭素繊維を埋設した状態のバンド取付部の部分の拡大斜視図である。
【図５】本発明の第３の実施の形態に使用するタンク保持バンドのバンド取付部とバンド本体の長鎖繊維の炭素繊維を一体的に延設して埋設した状態の斜視図である。
【図６】本発明の第３の実施の形態に使用するタンク保持バンドのバンド取付部とバンド本体の長鎖繊維の炭素繊維を一体的に延設して埋設した状態の断面図である。
【図７】本発明の実施の状態である燃料タンクをタンク保持バンドとバンドクッションで車体に取り付けた状態の断面図である。
【図８】従来のタンク保持バンドにバンドクッションを取付けた状態の断面図である。
【図９】従来の他のタンク保持バンドにバンドクッションを取付けた状態の断面図である。
【図１０】従来の他のタンク保持バンドのバンド取付部に、バンド本体の長尺状の炭素繊維を一体的に延設して埋設し、バンド取付孔を形成した状態の斜視図である。
【発明を実施するための形態】
【００３１】
本発明の第１〜第３の実施の形態である自動車用の燃料タンク２を保持するタンク保持バンド１０について、図１〜図７に基づき説明する。
図７に示すように、燃料タンク２は、タンク保持バンド１０で車体１の車体フレーム又は車体パネルに取り付けられている。
【００３２】
タンク保持バンド１０の数は、燃料タンク２の大きさにより異なるが２本以上使用されることが好ましい。２本以上使用することにより、タンク保持バンド１０が燃料タンク２を安定して保持することができる。燃料タンク２の形状に応じて、タンク保持バンド１０の数は、適宜増加することができる。
【００３３】
燃料タンク２は、金属製や合成樹脂製のものがあるが、本件発明においては、いずれの燃料タンク２も使用することができる。
金属製の燃料タンク２の場合には、スチール又はステンレススチール等を使用することができる。
【００３４】
合成樹脂製の燃料タンク２の場合は、高密度ポリエチレン（ＨＤＰＥ）や、高密度ポリエチレン（ＨＤＰＥ）の一層で形成されたものや、表皮層、バリヤ層と本体層の多層構造で形成されたものを使用することができる。多層構造の場合は、表皮層、本体層は、耐衝撃性が大きく、燃料油に対しても剛性が維持される熱可塑性合成樹脂から形成され、高密度ポリエチレン（ＨＤＰＥ）から形成されることが好ましい。バリヤ層を構成する熱可塑性合成樹脂は、例えば、エチレンビニルアルコール共重合体（ＥＶＯＨ）、ポリブチレンテレフタレート、ポリフェニレンサルファイド（ＰＰＳ）等を使用することが好ましい。
【００３５】
図７に示すように、タンク保持バンド１０は、炭素繊維強化プラスチィクから形成される長尺のベルト状に形成され、燃料タンク２を保持するバンド本体１１と、バンド本体１１の長手方向の両端のバンド取付部１２から構成される。図１に示すように、バンド取付部１２は、バンド本体１１の側端から屈曲して形成され、屈曲部はバンド本体１１とバンド取付部１２を連結するバンド屈曲部１３を構成する。タンク保持バンド１０は、内部に後述する補強繊維２０である炭素繊維が埋設されている。
また、タンク保持バンド１０の下方にはカバー部材３０が取付けられて、燃料タンク２とタンク保持バンド１０を保護している。
【００３６】
バンド取付部１２は、車体１の車体フレーム又は車体パネルの取付部分と平行に形成され、バンド取付部１２には、バンド取付孔１４が形成される。バンド取付部材であるバンド取付ネジ１５がバンド取付孔１４に挿入されて、バンド取付ネジ１５により、車体１の車体フレーム又は車体パネルに螺着される。なお、バンド取付ネジ１５以外にも他の固定手段を使用することができる。
【００３７】
まず、第１の実施の形態を図１〜図３に基づき説明し、その後、第２と第３の実施の形態を図４〜図６に基づき説明する
本発明の第１の実施の形態では、図１に示すように、バンド本体１１には、両端に形成された一方のバンド取付孔１４付近から他方のバンド取付孔１４付近まで長尺状の長鎖繊維２１の炭素繊維が長手方向に埋設される。長鎖繊維２１の炭素繊維は、一方のバンド取付孔１４付近から他方のバンド取付孔１４付近まで連続した一本の炭素繊維を多数本並べて形成することができるが、複数本の炭素繊維を途中で重なり合うように長手方向に重なり合わせて並べてもよい。
【００３８】
バンド本体１１に長鎖繊維２１の炭素繊維が長手方向に埋設されるため、長尺状のバンド本体１１の全体に亘り強度が確保することができる。これにより燃料タンク２を車体１の車体フレーム又は車体パネルに確実に保持することができる。長鎖繊維２１の炭素繊維は、成形金型のキャビティにロボット等でセットされ、その後、後述するように、バンド取付部１２部分の炭素繊維はバンド取付孔１４を囲むようにセットされて、合成樹脂を注入されて成形される。
【００３９】
バンド取付部１２の部分では、短鎖繊維２３の炭素繊維が使用される。短鎖繊維２３の炭素繊維は、図１に示すように、バンド取付孔１４を囲むように散布される。短鎖繊維２３であるため、バンド取付孔１４の周囲に容易に散布できる。その後、成形金型を閉じて、合成樹脂を注入してタンク保持バンド１０のバンド本体１１とバンド取付部１２を、同時に一体的に形成する。このとき、バンド取付孔１４も、バンド取付部１２の部分に同時に形成することができる。
【００４０】
バンド取付孔１４の周囲を囲んで、短鎖繊維２３の炭素繊維が埋設されたため、バンド取付孔１４の周囲の強度が向上して、バンド取付ネジ１５によりバンド取付部１２を車体に取付けたときに、バンド取付孔１４の部分が破損することがなく、バンド取付部１２を確実に取付けることができる。
【００４１】
第１の実施の形態で使用する長鎖繊維２１の炭素繊維よりも短い短鎖繊維２３の炭素繊維は、長さが２〜７ｍｍであることが好ましい。この場合には、バンド取付孔１４の周囲を取り囲むように散布することが容易であり、バンド取付孔１４の周囲を確実に補強することができる。短鎖繊維２３の炭素繊維の長さが２ｍｍ未満の場合には、補強効果が低下して、短鎖繊維２３の炭素繊維の長さが６ｍｍを越える場合には、バンド取付孔１４の周囲に沿わせて散布する作業の手間がかかることと
【００４２】
図２と図３に示すように、長鎖繊維２１の炭素繊維よりも短い短鎖繊維２３の炭素繊維は、バンド本体１１とバンド取付部１２の境界付近であるバンド屈曲部１３のから長鎖繊維２１の炭素繊維と混ぜて埋設される。さらに、短鎖繊維２３の炭素繊維は、バンド取付孔１４の周囲を囲むように散布される。
【００４３】
すなわち、長鎖繊維２１の炭素繊維の先端はバンド屈曲部１３を越えてバンド取付部１２のバンド取付孔１４付近まで延設される。短鎖繊維２３の炭素繊維は、バンド取付部１２からバンド屈曲部１３の付近まで散布され、長鎖繊維２１の炭素繊維の先端と短鎖繊維２３の炭素繊維は、長鎖繊維２１の炭素繊維と短鎖繊維２３の炭素繊維の境界部分で、長鎖繊維２１の炭素繊維と短鎖繊維２３の炭素繊維を絡ませて、補強することができる。このため、バンド本体１１とバンド取付部１２の境界部分であるバンド屈曲部１３の付近の補強効果の切れ目をなくし、補強効果を増加させることができる。
【００４４】
第１の実施の形態では、炭素繊維強化プラスチックの炭素繊維の含有率は、２０〜６０重量％であることが好ましい。この炭素繊維の含有率は、短鎖繊維２３と長鎖繊維２１および後述する中鎖繊維２２を含むものである。含有率は、２０〜６０重量％であるため、タンク保持バンド１０の強度を十分に補強することができる。炭素繊維強化プラスチックの炭素繊維の含有率が２０重量％未満の場合には、タンク保持バンド１０の補強効果が十分でなく、炭素繊維強化プラスチックの炭素繊維の含有率が６０重量％を超える場合には、加工性が低下して、コストも増加する。
【００４５】
第１の実施の形態及び後述する第２と第３の実施の形態では、炭素繊維強化プラスチックに使用されるプラスチィクは、高密度ポリエチレン（ＨＤＰＥ）であることが好ましい。この場合には、高密度ポリエチレン（ＨＤＰＥ）が強度も大きく、耐久性、耐燃料油性に優れているため、タンク保持バンド１０も強度が大きく、耐久性、耐燃料油性に優れている。
【００４６】
次に、図４に基づき本発明の第２の実施の形態について説明する。第２の実施の形態は、バンド取付部１２に散布する炭素繊維が異なり他部分は同様であるため、異なる部分を説明し、同様な部分の説明は省略する。
【００４７】
本発明の第２の実施の形態では、長鎖繊維２１の炭素繊維よりも短い短鎖繊維２３の炭素繊維は、バンド取付部１２のバンド取付孔１４付近に散布され、短鎖繊維２３の炭素繊維よりも長く、長鎖繊維２１の炭素繊維よりも短い中鎖繊維２２の炭素繊維をバンド本体とバンド取付部の境界付近から長鎖繊維２１の炭素繊維と混ぜて埋設された。
【００４８】
このため、中鎖繊維２２の炭素繊維が長鎖繊維２１の炭素繊維と短鎖繊維２３の炭素繊維と混合されて、短鎖繊維２３の炭素繊維、中鎖繊維２２の炭素繊維と長鎖繊維２１の炭素繊維が強固に絡み合って、バンド取付部１２の補強効果を増加させることができる。
なお、短鎖繊維２３、中鎖繊維２２及び長鎖繊維２１を含む炭素繊維の含有率は、第１の実施の形態と同様である。
【００４９】
次に、図５と図６に基づき本発明の第３の実施の形態について説明する。第３の実施の形態は、バンド取付部１２に取付ける炭素繊維が異なり他部分は同様であるため、異なる部分を説明し、同様な部分の説明は省略する。
【００５０】
本発明の第３の実施の形態では、バンド取付部１２とバンド取付孔１４の周囲には、バンド本体１１に埋設された長鎖繊維２１の炭素繊維が延設されて、バンド取付孔１４を取り囲むように埋設されている。このため、バンド本体１１から連続してバンド取付孔１４の周囲まで長鎖繊維２１の炭素繊維を埋設することができ、バンド本体１１とバンド取付部１２を連続した長鎖繊維２１で一体的に補強することができ、バンド取付孔１４の周囲も一体的に補強することができる。
なお、短鎖繊維２３、中鎖繊維２２及び長鎖繊維２１を含む炭素繊維の含有率は、第１の実施の形態と同様である。
なお、長鎖繊維２１を含む炭素繊維の含有率は、第１の実施の形態と同様である。
【符号の説明】
【００５１】
２    燃料タンク
１０  タンク保持バンド
１１  バンド本体
１２  バンド取付部
１３  バンド屈曲部
１４  バンド取付孔
２０  補強繊維
２１  長鎖繊維
２２  中鎖繊維
２３  短鎖繊維
【図１】
2016168899.tif 000003
【図２】
2016168899.tif 000004
【図３】
2016168899.tif 000005
【図４】
2016168899.tif 000006
【図５】
2016168899.tif 000007
【図６】
2016168899.tif 000008
【図７】
2016168899.tif 000009
【図８】
2016168899.tif 000010
【図９】
2016168899.tif 000011
【図１０】
2016168899.tif 000012